(57)【要約】【課題】マルチカード規格対応装置において、カード規格やアプリケーションの情報の入力操作を要求することなく、カードの認識時間を短縮する。【解決手段】非接触カード２ａ、非接触カード２ｂ、非接触カード２ｃの情報の読み書きを行う複数の処理手段を有するカード処理装置１が、事前情報を入力する事前情報入力部１１と、事前情報入力部が入力する前記事前情報に基づき、前記処理手段のいずれかを選択する制御処理部１２とを備える。【選択図】図１
2008250738.tif 000002
【特許請求の範囲】
【請求項１】
複数のカード規格で構成される非接触カードに記憶される情報の読み出しを行う複数の処理手段を備えるカード処理装置であって、
前記カード規格ごとに予め割り当てられる事前情報を入力する事前情報入力部と、
前記事前情報入力部が入力する前記事前情報に基づき、前記処理手段のいずれかを選択して前記非接触カードから情報を読み出す制御処理部と
を備えることを特徴とするカード処理装置。
【請求項２】
前記カード規格は、予め定められる複数の通信方式のいずれか１つと、複数のサービス方式のいずれか１つとの組み合わせから構成されており、
前記制御処理部は、
前記処理手段を選択する場合に、いずれかの前記組み合わせを選択する
ことを特徴とする請求項１に記載のカード処理装置。
【請求項３】
前記カード処理装置は、
第１の認証情報を入力する認証情報入力手段をさらに備え、
前記処理手段が、
前記認証情報入力手段が入力する前記第１の認証情報に対する前記非接触カードが予め記憶する複数の第２の認証情報ごとの認証処理手段である
ことを特徴とする請求項１に記載のカード処理装置。
【請求項４】
前記事前情報は、
前記カード処理装置に対する前記非接触カードの接近方向情報、又は、前記カード処理装置に対する前記非接触カードの設置面情報、又は、前記非接触カードに付与される画像情報、又は、外部から入力される事前情報のいずれかである
ことを特徴とする請求項１に記載のカード処理装置。
【請求項５】
前記カード処理装置は、
第３の認証情報を入力する第３の認証情報入力手段をさらに備え、
前記事前情報入力部が、第４の認証情報を入力する第４の認証情報入力手段を備え、
前記処理手段のうち一方が、前記事前情報入力部から前記第４の認証情報が入力されない場合は、前記第３の認証情報入力手段から入力される第３の認証情報の入力を要求し、
前記処理手段のうち他方が、前記事前情報入力部から前記第４の認証情報が入力される場合は、前記第３の認証情報入力手段から入力される第３の認証情報の入力の要求を省略する
ことを特徴とする請求項１に記載のカード処理装置。
【請求項６】
複数のカード規格で構成される非接触カードに記憶される情報の読み出しを行う複数の処理手段を備えるカード処理装置におけるカード処理方法であって、
前記カード規格ごとに予め割り当てられる事前情報を入力する事前情報入力ステップと、
前記事前情報に基づき、前記処理手段のいずれかを選択して前記非接触カードから情報を読み出す読出ステップと
を備えることを特徴とするカード処理方法。
【請求項７】
複数のカード規格で構成される非接触カードに記憶される情報の読み出しを行う複数の処理手段を備えるカード処理装置に用いられるコンピュータに、
前記カード規格ごとに予め割り当てられる事前情報を入力する事前情報入力ステップと、
前記事前情報に基づき、前記処理手段のいずれかを選択して前記非接触カードから情報を読み出す読出ステップと
を実行させることを特徴とするカード処理プログラム。
【発明の詳細な説明】
【技術分野】
【０００１】
本発明は、主に非接触カードの読み出しにおけるカード処理装置、カード処理方法、及び、カード処理プログラムに関する。
【背景技術】
【０００２】
近年、利便性向上目的やコスト低減化を目的として、入退室管理や電子マネーの分野において非接触カードが広く用いられるようになってきている（例えば、特許文献１、特許文献２）。また、従来、このような非接触カードは、例えば、入退室管理専用や、食堂利用専用など、単一の利用目的にのみ対応する非接触カードであったが、マルチアプリカードなど複数のアプリケーションを有する非接触カードが開発され、用いられつつある。さらに、マルチアプリカードに対応するリーダライタ装置や、複数の規格の非接触カードへのリーダライタ装置として、マルチカード規格対応装置も開発され、販売されている。
【特許文献１】特許２６３１６６４号公報
【特許文献２】特許２５２９４３６号公報
【発明の開示】
【発明が解決しようとする課題】
【０００３】
しかしながら、このような複数のアプリケーションを有するマルチアプリカードに対応するリーダライタ装置は、いずれのアプリケーションに対する処理を行うのかの操作入力が必須となるという問題がある。また、複数の規格の非接触カードに対応するマルチカード規格対応装置は、いずれの規格の非接触カードの読み書きを行うかが不明であるため、全ての規格におけるカード存在確認処理を要し、非接触カードを捕捉する、すなわち、非接触カードの存在有無及び非接触カードの規格種別などを認識するまでの時間が長くなるという問題がある。
【０００４】
本発明は、このような事情を考慮し、上記の問題を解決すべくなされたもので、その目的は、マルチカード規格対応装置において、カード規格やアプリケーションの情報の入力操作を要求することなく、カードの認識時間を短縮することができるカード処理装置、カード処理方法、及び、カード処理プログラムを提供することにある。
【課題を解決するための手段】
【０００５】
上記問題を解決するために、本発明は、複数のカード規格で構成される非接触カードに記憶される情報の読み出しを行う複数の処理手段を備えるカード処理装置であって、前記カード規格ごとに予め割り当てられる事前情報を入力する事前情報入力部と、前記事前情報入力部が入力する前記事前情報に基づき、前記処理手段のいずれかを選択して前記非接触カードから情報を読み出す制御処理部とを備えることを特徴とするカード処理装置である。
【０００６】
また、本発明は、前記カード規格が、予め定められる複数の通信方式のいずれか１つと、複数のサービス方式のいずれか１つとの組み合わせから構成されており、前記制御処理部が、前記処理手段を選択する場合に、いずれかの前記組み合わせを選択することを特徴とすることを特徴とする。
【０００７】
また、本発明は、前記カード処理装置が、第１の認証情報を入力する認証情報入力手段をさらに備え、前記処理手段が、前記認証情報入力手段が入力する前記第１の認証情報に対する前記非接触カードが予め記憶する複数の第２の認証情報ごとの認証処理手段であることを特徴とする。
【０００８】
また、本発明は、前記事前情報が、前記カード処理装置に対する前記非接触カードの接近方向情報、又は、前記カード処理装置に対する前記非接触カードの設置面情報、又は、前記非接触カードに付与される画像情報、又は、外部から入力される事前情報のいずれかであることを特徴とする。
【０００９】
また、本発明は、前記カード処理装置が、第３の認証情報を入力する第３の認証情報入力手段をさらに備え、前記事前情報入力部が、第４の認証情報を入力する第４の認証情報入力手段を備え、前記処理手段のうち一方が、前記事前情報入力部から前記第４の認証情報が入力されない場合は、前記第３の認証情報入力手段から入力される第３の認証情報の入力を要求し、前記処理手段のうち他方が、前記事前情報入力部から前記第４の認証情報が入力される場合は、前記第３の認証情報入力手段から入力される第３の認証情報の入力の要求を省略することを特徴とする。
【００１０】
また、本発明は、複数のカード規格で構成される非接触カードに記憶される情報の読み出しを行う複数の処理手段を備えるカード処理装置におけるカード処理方法であって、前記カード規格ごとに予め割り当てられる事前情報を入力し、前記事前情報に基づき、前記処理手段のいずれかを選択して前記非接触カードから情報を読み出すことを特徴とするカード処理方法である。
【００１１】
また、本発明は、複数のカード規格で構成される非接触カードに記憶される情報の読み出しを行う複数の処理手段を備えるカード処理装置に用いられるコンピュータに、前記カード規格ごとに予め割り当てられる事前情報を入力する事前情報入力ステップと、前記事前情報に基づき、前記処理手段のいずれかを選択して前記非接触カードから情報を読み出す読出ステップとを実行させることを特徴とするカード処理プログラムである。
【発明の効果】
【００１２】
本発明によれば、複数のカード規格で構成される非接触カードに記憶される情報の読み出しを行う複数の処理手段を備えるカード処理装置が、カード規格ごとに予め割り当てられる事前情報を入力する事前情報入力部と、事前情報入力部が入力する事前情報に基づき、処理手段のいずれかを選択して非接触カードから情報を読み出す制御処理部とを備えることとした。
これにより、事前情報に基づきカード処理装置が異なるカード処理を行うことが可能になるという効果がある。
【００１３】
また、この発明によれば、カード規格が、予め定められる複数の通信方式のいずれか１つと、複数のサービス方式のいずれか１つとの組み合わせから構成されており、制御処理部は、処理手段を選択する場合に、いずれかの組み合わせを選択することとした。
これにより、カード処理装置は、事前情報に基づき、通信方式と、サービス方式との組み合わせであるカード規格を通信対象のカードに対応するカード規格に切り替えて非接触カードに記憶される情報を読み出すことが可能となり、ユーザ操作によるカード規格方式の選択入力処理が不要になるという効果がある。
【００１４】
また、この発明によれば、カード処理装置が、第１の認証情報を入力する認証情報入力手段をさらに備え、処理手段が、認証情報入力手段が入力する第１の認証情報に対する非接触カードが予め記憶する複数の第２の認証情報ごとの認証処理手段であることとした。
これにより、複数の認証情報を１枚のカードに対して付与することが可能になるという効果がある。
【００１５】
また、この発明によれば、事前情報が、カード処理装置に対する非接触カードの接近方向情報、又は、カード処理装置に対する非接触カードの設置面情報、又は、非接触カードに付与される画像情報、又は、外部から入力される事前情報のいずれかであることとした。
これにより、カード処理装置に対する非接触カードの接近方向情報、又は、カード処理装置に対する非接触カードの設置面情報、又は、非接触カードに付与される画像情報、又は、外部から入力される事前情報に基づき、カードに対する処理を実行することが可能になるという効果がある。
【００１６】
また、この発明によれば、カード処理装置が、第３の認証情報を入力する第３の認証情報入力手段をさらに備え、事前情報入力部が、第４の認証情報を入力する第４の認証情報入力手段を備え、処理手段のうち一方が、事前情報入力部から第４の認証情報が入力されない場合は、第３の認証情報入力手段から入力される第３の認証情報の入力を要求し、処理手段のうち他方が、事前情報入力部から第４の認証情報が入力される場合は、第３の認証情報入力手段から入力される第３の認証情報の入力の要求を省略することとした。
これにより、第４の認証情報の入力がある場合に、第３の認証情報の入力の要求を省略することができ、非接触カードを所有するユーザの操作の手間を省くことが可能になるという効果がある。
【発明を実施するための最良の形態】
【００１７】
＜第１実施形態＞
以下、本発明の第１実施形態による非接触カードシステム１００を図面を参照して説明する。
図１は、本実施形態による非接触カードシステム１００を示す概略ブロック図である。非接触カードシステム１００は、複数の規格の非接触カードへのリーダライタ装置であるマルチカード規格対応装置としてのカード処理装置１と、カード処理装置１と通信する非接触カード２ａ、２ｂ、２ｃとを備える。
【００１８】
なお、本実施形態において、異なるカード規格のカード例として、非接触カード２ａ、２ｂ、２ｃの３つを例に説明する。ここで、カード規格とは、複数の通信方式のいずれか一つと、複数のサービス規格のいずれか一つとの組み合わせによって構成される。また、異なるカード規格とは、例えば、通信方式と、非接触カード２ａ、２ｂ、２ｃのサービスを提供する事業者や、非接触カード２ａ〜２ｃのサービスや、アプリケーションなどであるサービス規格との組み合わせが異なることを示す。
【００１９】
非接触カード２ａは、カード規格「ａ」に従うカードであり、例えばＩＣタグを備えるカード処理装置１と非接触で通信を行うカードである。非接触カード２ｂは、カード規格「ｂ」に従うカードであり、例えばＩＣタグを備えるカード処理装置１と非接触で通信を行うカードである。非接触カード２ｃは、カード規格「ｃ」に従うカードであり、例えばＩＣタグを備えるカード処理装置１と非接触で通信を行うカードである。
【００２０】
カード処理装置１は、事前情報入力部１１と、制御処理部１２と、カード通信部１３とを備え、非接触カード２ａ、２ｂ、２ｃのリーダライタ装置である。
制御処理部１２は、ＣＰＵ（central processing unit）及び各種メモリから構成され、各部の制御や、データの一時的な格納や、データの転送等を行う。制御処理部１２は、事前情報入力部１１から入力される事前情報に基づき、いずれのカード規格に基づく通信方式をカード通信部１３に実行させるかの判定を行う。
【００２１】
カード通信部１３は、非接触カード２ａ、２ｂ、２ｃとのデータの送受信を行う。
事前情報入力部１１は、センサ１１１ａ、１１１ｂ、１１１ｃを備え、非接触カード２ａ、２ｂ、２ｃの識別情報としての事前情報を制御処理部１２に出力する。センサ１１１ａ、１１１ｂ、１１１ｃは、それぞれ、カード処理装置１に接続する非接触カード２ａ、２ｂ、２ｃを検出するセンサである。
【００２２】
図２は、カード処理装置１において、センサ１１１ａ、１１１ｂ、１１１ｃがそれぞれ非接触カード２ａ、２ｂ、２ｃを検出するカード処理装置１の構成例を示す図である。符号１３１、１３２は、カード通信部１３の通信可能域をユーザに通知する表示である。
例えば、非接触カード２ａの検出は、図２に示すように、予め、センサ１１１ａのカード検出位置に、ユーザにカードの通過方向を指示する符号１１２ａの矢印の表示や符号１１３ａの案内表示等を付すことにより行う。
【００２３】
例えば赤外線センサや光センサなどを適用したセンサ１１１ａは、符号１１２ａや符号１１３ａに示す案内表示にしたがってセンサ１１１ａの検出範囲を物体が通過したことを検出し、検出結果を制御処理部１２に出力する。このように、カード処理装置１は、予め、カード規格ごとにカード通信部１３の通信可能域へのカード走査方向を予め定めておき、当該走査方向に物体が通過したことをセンサ１１１ａ，１１１ｂ、１１１ｃが検出する構成とする。
【００２４】
なお、事前情報入力部１１のセンサ１１１ａ、１１１ｂ、１１１ｃに、上述の赤外線センサ、光センサのほかに、指向性の音センサを適用し、物体やユーザの接近方向を検出し、検出結果を事前情報として制御処理部１２に出力することにより、制御処理部１２がカード規格を判定してもよい。
【００２５】
また、事前情報入力部１１のセンサ１１１ａ、１１１ｂ、１１１ｃに、輝度センサを適用し、カード規格ごとに所定の輝度をカード表面に付与した非接触カード２ａ、２ｂ、２ｃの輝度を検出し、検出結果を事前情報として制御処理部１２に出力することにより、制御処理部１２がカード規格を判定してもよい。また、カードが複数のカード規格の情報を有する場合、カード表面と裏面とで異なる輝度を表面に付し、カード処理装置１に対する設置面の輝度に基づいて判定することでもよい。
【００２６】
また、事前情報入力部１１のセンサ１１１ａ、１１１ｂ、１１１ｃに画像認識センサを適用し、カード規格ごとに所定の画像パターンをカード表面に付与した非接触カード２ａ、２ｂ、２ｃの画像パターンを検出し、検出結果を事前情報として制御処理部１２に出力することにより、制御処理部１２がカード規格を判定することでもよい。
【００２７】
次に、本発明の第１実施形態による非接触カードシステム１００の動作について説明する。図３は、非接触カードシステム１００の動作の流れを示すフローチャートである。ここでは、図２の構成のカード処理装置１が、非接触カード２ａと通信する場合を例に説明する。
【００２８】
カード処理装置１において、ユーザが図２の符号１１２ａおよび符号１１３ａに基づき非接触カード２ａを走査すると、センサ１１１ａが走査によって非接触カード２ａが通過したことを検出する。センサ１１１ａは、予めセンサごとに付与されるセンサ識別情報を含む通過通知を事前情報として制御処理部１２に出力する（ステップＳ１）。
【００２９】
制御処理部１２は、事前情報が入力されると、当該事前情報のセンサ識別情報に基づき、通信対象のカード規格がカード規格「ａ」であることを判定する（ステップＳ２）。この判定方法は、例えば、制御処理部１２が、予め内部の記憶領域にカード規格ごとに付与されるカード規格識別情報と、事前情報とを対応付けたテーブルを記憶し、事前情報入力部１１から入力される事前情報に基づき、当該テーブルからカード規格識別情報を読み出すことにより判定する方法である。図４は、本実施形態において、制御処理部１２が記憶する事前情報と、カード規格識別情報とを対応付けたテーブルのデータ構成例である。
【００３０】
制御処理部１２は、カード規格を判定すると、判定結果に基づき、カード通信部１３にカード規格「ａ」による通信方式によって非接触カード２ａと通信させ、カード処理を実行する（ステップＳ３）。
上述したように、事前情報入力部１１が入力する事前情報に基づき、カード通信部１３における通信方式を判定することにより、カード読取時に行うカード走査の動作に基づき、カード規格識別情報の特別な入力操作を必要とせずにカード規格を判定することが可能となる。これにより、カード処理装置１が、非接触カード２ａを認識するまでにかかる最長認識時間長を短縮することが可能となる効果がある。
【００３１】
従来のマルチカード規格対応装置によって複数の規格のカードを読み取る場合には、所定時間ごとに通信方式を順次切り替え、カードからの応答の有無により、当該カードが読取範囲内にあるか否かを判定するため、読取対象のカード規格と異なるカード規格の通信方式時には読取対象のカード規格の通信方式まで読取対象のカードが認識されず、認識までにタイムラグが生じる。これは、ユーザに対し不快感や、ストレスを生じさせる原因となるが、本実施形態によれば、事前情報により、予めカード規格を判定するため、最長認識時間長が短縮され、ユーザに対する不快感やストレスを低減する効果がある。
【００３２】
なお、上述した方法において、制御処理部１２は、カード規格ごとに異なる処理手順を行うこととしたが、カード規格ごとに異なる通信手段を選択し、通信することとしてもよい。すなわち、カード通信部１３がカード規格ごとの通信手段を備え、ステップＳ２において判定されるカード規格の通信手段に切り替えることとしてもよい。例えば、カード通信部１３が、カード規格「ａ」に従う通信方式によって通信する第１通信手段と、カード規格「ｂ」及び「ｃ」に従う通信方式によって通信する第２通信手段とを備え、制御処理部１２は、事前情報に基づき、第１通信手段と第２通信手段とのいずれかを選択する。
【００３３】
また、制御処理部１２は、処理手順と通信手段とをカード規格ごとに組み合わせて、異なる処理を選択することとしてもよい。例えば、上述したように、カード通信部１３が第１通信手段と、第２通信手段とを備え、制御処理部１２は、カード規格「ａ」のカードに対しては、処理手順「Ａ」を第１通信手段を介して行い、カード規格「ｂ」のカードに対しては、処理手順「Ｂ」を第２通信手段を介して行い、カード規格「ｃ」のカードに対しては、処理手順「Ｃ」を第２通信手段を介して行うことである。
【００３４】
上述した方法によれば、１枚のカードに１つのカード規格の情報が付与されている専用カードだけではなく、１枚のカードに複数のカード規格の情報が付与されているマルチカードに対しても同様にカード処理を実行することが可能である。図５は、１枚のカードに複数のサービスの情報が付与されている場合の例である。
【００３５】
非接触カード２−１は、サービス情報２１ａと、サービス情報２１ｂと、サービス情報２１ｃとを記憶する。ここで、サービス情報２１ａは、サービス「ａ」の情報であり、サービス情報２１ｂは、サービス「ｂ」の情報であり、サービス情報２１ｃは、サービス「ｃ」の情報である。
このとき、カード処理装置１の制御処理部１２が予め記憶するテーブルは、事前情報と、カード規格識別情報としてサービス種別識別情報とを対応付けたテーブルとなる。
【００３６】
また、１つのカードに複数の認証情報を付与する構成としてもよい。図６は、１枚のカードに複数の認証情報である暗証番号が付与されている場合の例である。非接触カード２−２は、暗証番号２２ａと、暗証番号２２ｂと、暗証番号２２ｃとを記憶する。ここで、暗証番号２２ａは、第１の暗証番号であり、暗証番号２２ｂ、２２ｃは、それぞれ、第２、第３の暗証番号としてもよい。
【００３７】
カード処理装置１は、暗証番号入力部１４を備える。暗証番号入力部１４は、例えば、キーボード、マウス、タッチパネル、ボタンやキーなどの入力手段を備え、当該入力手段によってユーザが入力した情報を制御処理部１２に出力する。
このとき、カード処理装置１の制御処理部１２が予め記憶するテーブルは、事前情報と、カード規格識別情報として第１から第３のいずれの暗証番号であるかを示す暗証番号識別情報とを対応付けたテーブルとなる。
【００３８】
すなわち、制御処理部１２は、事前情報入力部１１から入力される事前情報がセンサ１１１ａの識別情報を含む場合、暗証番号入力部１４から入力される暗証番号と、暗証番号２２ａとを比較し、認証判定を行う。また、同様に、制御処理部１２は、事前情報入力部１１から入力される事前情報がセンサ１１１ｂの識別情報を含む場合、暗証番号入力部１４から入力される暗証番号と、暗証番号２２ｂとを比較し、認証判定を行う。
【００３９】
また、制御処理部１２は、事前情報入力部１１から入力される事前情報がセンサ１１１ｃの識別情報を含む場合、暗証番号入力部１４から入力される暗証番号と、暗証番号２２ｃとを比較し、認証判定を行う。
このように、制御処理部１２は、事前情報に基づき、複数の暗証番号のうち、いずれを用いて暗証番号入力手段から入力される暗証番号と認証処理を行うかを判定することとしてもよい。
【００４０】
＜第２実施形態＞
以下、本発明の第２実施形態による非接触カードシステム１００を図面を参照して説明する。図７は同実施形態の構成を示すブロック図である。この図において、図１に示す第１実施形態によるカード処理装置１と同様の部分には同一の符号を付し、異なる構成について説明する。本実施形態においては、事前情報に基づき、制御処理部１２が認証情報の入力要求を行うか否かを判定する処理を行う例である。
【００４１】
非接触カードシステム１００は、カード処理装置１と、非接触カード２−３と、非接触カード２−４と、非接触カード２−４の所有者が有する無線タグ３−４とを含む。
無線タグ３−４は、例えばＲＦＩＤ（Radio Frequency Identification）などの無線タグである。
非接触カード２−３及び非接触カード２−４は、例えばＩＣタグを備えるカード処理装置１と非接触で通信を行うカードである。
【００４２】
カード処理装置１は、図６と同様の構成である暗証番号入力部１４を備える。
カード処理装置１において事前情報入力部１１は、無線タグセンサ１１４を有する。無線タグセンサ１１４は、無線タグ３−４と通信する。
【００４３】
次に、本発明の第２実施形態による非接触カードシステム１００の動作について説明する。図８は、非接触カードシステム１００の動作の流れを示すフローチャートである。ここでは、図７の構成のカード処理装置１が、非接触カード２−３と、非接触カード２−４と通信する場合を例に説明する。
【００４４】
カード処理装置１において、無線タグセンサ１１４は、無線タグの有無を検出し、検出結果を事前情報として制御処理部１２に出力する（ステップＳ１１）。
制御処理部１２は、事前情報が入力されると、当該事前情報に基づき、通信対象のカードをカード通信部１３が検出した場合に、暗証番号の入力要求を行うか否かを判定する（ステップＳ１２）。
【００４５】
例えば、無線タグ３−４を有するユーザが所有する、非接触カード２−４をカード通信部１３が検出する場合は、ステップＳ１１において、無線タグセンサ１１４が無線タグ３−４を検出し、無線タグがあるという検出結果を事前情報として制御処理部１２に出力する。制御処理部１２は、当該事前情報に基づき、暗証番号の入力要求をスキップすることとして判定し、例えば、入退室管理の場合であれば、ドアのロックを解除するなどのカード処理を実行する（ステップＳ１３）。
【００４６】
また、非接触カード２−３をカード通信部１３が検出する場合は、ステップＳ１１において、無線タグセンサ１１４が現在無線タグを検出していないという検出結果を事前情報として制御処理部１２に出力する。制御処理部１２は、当該事前情報に基づき、暗証番号の入力要求を行うこととして判定し、例えば、カード処理装置１が予め備える、例えば、ディスプレイなどの出力手段からユーザに対する暗証番号の入力要求を行う（ステップＳ１４）。
【００４７】
暗証番号入力手段１４は、暗証番号入力手段１４が備える操作手段がユーザによって操作され、当該操作によって入力される暗証番号の情報を制御処理部１２に出力する（ステップＳ１５）。
制御処理部１２は、暗証番号入力手段１４から入力される暗証番号の認証処理を行い、認証結果が正しい暗証番号であることを示す結果の場合、ステップＳ１３のカード処理を行う。制御処理部１２は、認証結果が正しい暗証番号ではないことを示す結果の場合、処理を終了する（ステップＳ１６）。
【００４８】
なお、ステップＳ１３の判定は、予め非接触カード２−４の識別情報と無線タグ３−４の識別情報とを対応付けてカード処理装置１が記憶しておき、この対応関係が正しいか否かについても判定することとしても良い。これにより、例えば、無線タグ３−４を有していても、検出するカードが非接触カード２−３の場合はカード処理を行わないなどという処理が可能となるため、暗証番号を用いつつ、ユーザの利便性と、高セキュリティ化とを両立することができるという効果がある。
また、カード処理装置１が、出力手段を必ずしも備える必要はなく、予めカードのみの場合には暗証番号の入力が必須であることがユーザに周知されている場合には、ステップＳ１４の入力要求の処理を行わないこととしてもよい。
【００４９】
上記実施形態によれば、カード処理装置１は、無線タグ３−４を検出する場合は、暗証番号の入力要求を行わないことにより、ユーザによる暗証番号の入力操作を行うという手間を省くことができるという効果がある。
【００５０】
＜第３実施形態＞
また、上述した実施形態の他の例として、第３実施形態について説明する。図９に示すように、非接触カードシステム１００は、カード処理装置１と同様の構成を有する複数のカード処理装置１−１〜１−Ｎがネットワーク２００を介して接続する。
ネットワーク２００は、固定電話網、携帯電話網、インターネットなどの公衆網や、ＬＡＮ（Local Area Network）、専用線などの私設網からなる。
【００５１】
図９に示す非接触カードシステム１００において、例えば、カード処理装置１−１は、図３のステップＳ１からＳ２において判定したカード規格識別情報を事前情報としてカード処理装置１−２に出力し、カード処理装置１−２が、入力された事前情報に基づき、カード処理を行う。
上記の構成とすることにより、例えば、入退出管理において、カード処理装置１−１が備えられるドアを通過したユーザがカード処理装置１−２を備えるドアを通過する確率が高いような場合に、予め事前情報がカード処理装置１−２に入力されることにより、スムーズにカードが認識されるという効果がある。
【００５２】
また、非接触カードシステム１００において、さらに、行動情報取得装置４がネットワーク２００に接続することとしてもよい。行動情報取得装置４は、例えば、パーソナルコンピュータ、ＰＤＡ（Personal Digital Assistants：情報携帯端末）、携帯電話などのコンピュータ端末であり、事前情報として、例えば、行動情報取得装置４の所有者の在席・離席などの状態情報を事前情報としてカード処理装置１−１〜１−Ｎに送信し、カード処理装置１−１〜１−Ｎが、受信した事前情報に基づき、カード処理を行う。
【００５３】
これにより、さらに事前情報として入力される情報が多様化できることにより、異なる多様なカード処理を行うことが可能となる効果がある。
【００５４】
なお、本発明に記載の処理手段が行う処理は、通信方式とサービス方式との組み合わせによって構成されるカード規格ごとの通信処理、又は、サービスごとに異なるアドレスから情報を読み出す処理、非接触カード２−２が記憶する暗証番号ごとの認証処理、無線タグの有無に基づく暗証番号の入力の非要求・要求を行う処理に対応する。
【００５５】
なお、上述のカード処理装置１、１−１から１−Ｎ、行動情報取得装置４は、内部にコンピュータシステムを有している。そして、カード処理装置１の事前情報入力部１１、制御処理部１２、カード通信部１３、暗証番号入力部１４の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
【００５６】
また、「コンピュータシステム」は、ＷＷＷシステムを利用している場合であれば、ホームページ提供環境（あるいは表示環境）も含むものとする。
また、図３に示す各ステップを実現するためのプログラムをコンピュータ読み取り可能な記録媒体に記録して、また、図８に示す各ステップを実現するためのプログラムをコンピュータ読み取り可能な記録媒体に記録して、また、図１に示すカード処理装置１の機能を実現するためのプログラムをコンピュータ読み取り可能な記録媒体に記録して、この記録媒体に記録されたプログラムをコンピュータシステムに読み込ませ、実行することにより、事前情報に基づき、非接触カードに対するカード処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５８】
【図１】本発明の第１実施形態による非接触カードシステム１００の全体構成を示すブロック図である。
【図２】同実施形態によるカード処理装置１の構成例を示すブロック図である。
【図３】同実施形態によるカード処理装置１の動作フローを示す図である。
【図４】同実施形態における制御処理部１２が記憶するテーブルのデータ構成例を示す図である。
【図５】同実施形態の応用例における非接触カードシステム１００の全体構成を示すブロック図である。
【図６】同実施形態の応用例における非接触カードシステム１００の全体構成を示すブロック図である。
【図７】本発明の第２実施形態による非接触カードシステム１００の全体構成を示すブロック図である。
【図８】同実施形態によるカード処理装置１の動作フローを示す図である。
【図９】本発明の第３実施形態による非接触カードシステム１００の全体構成を示すブロック図である。
【符号の説明】
【００５９】
１００  非接触カードシステム
１、１−１〜１−Ｎ  カード処理装置
１１  事前情報入力部
１１１ａ、１１１ｂ、１１１ｃ  センサ
１１４  無線タグセンサ
１２  制御処理部
１３  カード通信部
１４  暗証番号入力部
２ａ、２ｂ、２ｃ、２−１、２−２、２−３、２−４  非接触カード
１１２ａ、１１２ｂ、１１２ｃ、１１３ａ、１１３ｂ、１１３ｃ、１３１、１３２  符号
２１ａ、２１ｂ、２１ｃ  サービス情報
２２ａ、２２ｂ、２２ｃ  暗証番号
３−４  無線タグ
４  行動情報取得装置
２００  ネットワーク
【図１】
2008250738.tif 000003
【図２】
2008250738.tif 000004
【図３】
2008250738.tif 000005
【図４】
2008250738.tif 000006
【図５】
2008250738.tif 000007
【図６】
2008250738.tif 000008
【図７】
2008250738.tif 000009
【図８】
2008250738.tif 000010
【図９】
2008250738.tif 000011